【手続補正書】
【提出日】平成16年6月30日(2004.6.30)
【手続補正１】
【補正対象書類名】明細書
【補正対象項目名】発明の名称
【補正方法】変更
【補正の内容】
【発明の名称】情報処理装置、方法、通信システム、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
周辺機器とネットワークを介して接続された情報処理装置であって、
セットアップするドライバの指示とセットアップ先の外部情報処理装置の指定とを含むセットアップ指示を受け付けるセットアップ指示受け付け手段と、
前記セットアップ指示受け付け手段によりセットアップ指示を受け付けた場合に、前記指示されたドライバを前記指示された外部情報処理装置にセットアップ処理を実行するよう指示を送るセットアップ指示手段と、
前記外部情報処理装置における前記セットアップ指示に基づく処理結果を受信する受信手段とを備えたことを特徴とする情報処理装置。
【請求項２】
前記受信手段は、処理結果として、前記セットアップ指示に基づいてドライバが正常インストール完了したか否かを認識できる情報を受信することを特徴とする請求項１に記載の情報処理装置。
【請求項３】
前記セットアップ指示に基づく処理結果とは、ドライバのインストール結果であることを特徴とする請求項１又は２に記載の情報処理装置。
【請求項４】
周辺機器とネットワークを介して接続された情報処理装置による情報処理方法であって、
セットアップするドライバの指示とセットアップ先の外部情報処理装置の指定とを含むセットアップ指示を受け付けるセットアップ指示受け付け手順と、
前記セットアップ指示受け付け手順によりセットアップ指示を受け付けた場合に、前記指示されたドライバを前記指示された外部情報処理装置にセットアップ処理を実行するよう指示を送るセットアップ指示手順と、
前記外部情報処理装置における前記セットアップ指示に基づく処理結果を受信する受信手順とを有することを特徴とする情報処理方法。
【請求項５】
前記受信手順では、処理結果として、前記セットアップ指示に基づいてドライバが正常インストール完了したか否かを認識できる情報を受信することを特徴とする請求項４に記載の情報処理方法。
【請求項６】
前記セットアップ指示に基づく処理結果とは、ドライバのインストール結果であることを特徴とする請求項４又は５に記載の情報処理方法。
【請求項７】
周辺機器とネットワークを介して接続された情報処理装置に用いられるコンピュータプログラムを記憶したコンピュータ読み取り可能な記憶媒体であって、
セットアップするドライバの指示とセットアップ先の外部情報処理装置の指定とを含むセットアップ指示を受け付けるセットアップ指示受け付け処理と、
前記セットアップ指示受け付け処理によりセットアップ指示を受け付けた場合に、前記指示されたドライバを前記指示された外部情報処理装置にセットアップ処理を実行するよう指示を送るセットアップ指示処理と、
前記外部情報処理装置における前記セットアップ指示に基づく処理結果を受信する受信処理とを前記情報処理装置に実行させるコンピュータプログラムを記憶したことを特徴とするコンピュータ読み取り可能な記憶媒体。
【請求項８】
第一情報処理装置と、第二情報処理装置とを含む通信システムにおいて、
第一情報処理装置は、デバイスドライバと、該デバイスドライバのセットアップ指示を転送する転送手段を備え、
前記第二情報処理装置は、前記転送手段から転送されてくるデバイスドライバと、セットアップ指示とを入力する入力手段と、前記入力手段に入力されたセットアップ指示とデバイスドライバとを用いて、デバイスドライバをセットアップ処理し、該セットアップの処理結果を前記第一情報処理装置に送信する送信手段とを備え、
前記第一情報処理装置は、前記第二情報処理装置の送信手段から送信されてくるセットアップ処理結果を受信する受信手段を更に備えたことを特徴とする通信システム。
【請求項９】
第一情報処理装置と、デバイスドライバを用いて処理したデータを印刷機能を有する周辺機器に転送して処理させる第二情報処理装置とを含む通信システムにおいて、
前記第一情報処理装置は、前記第二情報処理装置に対して、前記第二情報処理装置装置が前記周辺機器を駆動するためのデバイスドライバとセットアップの指示とを転送する転送手段を備え、
前記第二情報処理装置は、前記転送手段から転送されてくるセットアップ指示と、デバイスドライバとに基づいてドライバのセットアップ処理を実行する実行手段と、前記実行手段のセットアップが完了すると、前記周辺機器へテストプリント指示を行なう指示手段とを備えたことを特徴とする通信システム。
【請求項１０】
前記テストプリント指示は、前記印刷機能を有する周辺機器に対して、出力元である第二情報処理装置の名称、デバイスドライバ名、デバイスドライバのバージョン情報の少なくとも一つ含む、前記デバイドライバのセットアップが正常終了したことを示すメッセージを印刷させる指示であることを特徴とする請求項９に記載の通信システム。
【手続補正３】
【補正対象書類名】明細書
【補正対象項目名】０００６
【補正方法】変更
【補正の内容】
【０００６】
【課題を解決するための手段】
本発明の情報処理装置は、周辺機器とネットワークを介して接続された情報処理装置であって、セットアップするドライバの指示とセットアップ先の外部情報処理装置の指定とを含むセットアップ指示を受け付けるセットアップ指示受け付け手段と、前記セットアップ指示受け付け手段によりセットアップ指示を受け付けた場合に、前記指示されたドライバを前記指示された外部情報処理装置にセットアップ処理を実行するよう指示を送るセットアップ指示手段と、前記外部情報処理装置における前記セットアップ指示に基づく処理結果を受信する受信手段とを備えた点に特徴を有する。
【手続補正４】
【補正対象書類名】明細書
【補正対象項目名】０００７
【補正方法】変更
【補正の内容】
【０００７】
また、本発明の情報処理装置の他の特徴とするところは、前記受信手段は、処理結果として、前記セットアップ指示に基づいてドライバが正常インストール完了したか否かを認識できる情報を受信する点にある。
【手続補正５】
【補正対象書類名】明細書
【補正対象項目名】０００８
【補正方法】変更
【補正の内容】
【０００８】
また、本発明の情報処理装置の他の特徴とするところは、前記セットアップ指示に基づく処理結果とは、ドライバのインストール結果である点にある。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明の情報処理方法は、周辺機器とネットワークを介して接続された情報処理装置による情報処理方法であって、セットアップするドライバの指示とセットアップ先の外部情報処理装置の指定とを含むセットアップ指示を受け付けるセットアップ指示受け付け手順と、前記セットアップ指示受け付け手順によりセットアップ指示を受け付けた場合に、前記指示されたドライバを前記指示された外部情報処理装置にセットアップ処理を実行するよう指示を送るセットアップ指示手順と、前記外部情報処理装置における前記セットアップ指示に基づく処理結果を受信する受信手順とを有する点に特徴を有する。
【手続補正９】
【補正対象書類名】明細書
【補正対象項目名】００１２
【補正方法】変更
【補正の内容】
【００１２】
本発明のコンピュータ読み取り可能な記憶媒体は、周辺機器とネットワークを介して接続された情報処理装置に用いられるコンピュータプログラムを記憶したコンピュータ読み取り可能な記憶媒体であって、セットアップするドライバの指示とセットアップ先の外部情報処理装置の指定とを含むセットアップ指示を受け付けるセットアップ指示受け付け処理と、前記セットアップ指示受け付け処理によりセットアップ指示を受け付けた場合に、前記指示されたドライバを前記指示された外部情報処理装置にセットアップ処理を実行するよう指示を送るセットアップ指示処理と、前記外部情報処理装置における前記セットアップ指示に基づく処理結果を受信する受信処理とを前記情報処理装置に実行させるコンピュータプログラムを記憶した点に特徴を有する。
【手続補正１０】
【補正対象書類名】明細書
【補正対象項目名】００１３
【補正方法】変更
【補正の内容】
【００１３】
本発明の通信システムは、第一情報処理装置と、第二情報処理装置とを含む通信システムにおいて、第一情報処理装置は、デバイスドライバと、該デバイスドライバのセットアップ指示を転送する転送手段を備え、前記第二情報処理装置は、前記転送手段から転送されてくるデバイスドライバと、セットアップ指示とを入力する入力手段と、前記入力手段に入力されたセットアップ指示とデバイスドライバとを用いて、デバイスドライバをセットアップ処理し、該セットアップの処理結果を前記第一情報処理装置に送信する送信手段とを備え、前記第一情報処理装置は、前記第二情報処理装置の送信手段から送信されてくるセットアップ処理結果を受信する受信手段を更に備えた点に特徴を有する。
【手続補正１１】
【補正対象書類名】明細書
【補正対象項目名】００１４
【補正方法】変更
【補正の内容】
【００１４】
本発明の別の通信システムは、第一情報処理装置と、デバイスドライバを用いて処理したデータを印刷機能を有する周辺機器に転送して処理させる第二情報処理装置とを含む通信システムにおいて、前記第一情報処理装置は、前記第二情報処理装置に対して、前記第二情報処理装置装置が前記周辺機器を駆動するためのデバイスドライバとセットアップの指示とを転送する転送手段を備え、前記第二情報処理装置は、前記転送手段から転送されてくるセットアップ指示と、デバイスドライバとに基づいてドライバのセットアップ処理を実行する実行手段と、前記実行手段のセットアップが完了すると、前記周辺機器へテストプリント指示を行なう指示手段とを備えた点に特徴を有する。
【手続補正１２】
【補正対象書類名】明細書
【補正対象項目名】００１５
【補正方法】変更
【補正の内容】
【００１５】
また、本発明の別の通信システムの他の特徴とするところは、前記テストプリント指示は、前記印刷機能を有する周辺機器に対して、出力元である第二情報処理装置の名称、デバイスドライバ名、デバイスドライバのバージョン情報の少なくとも一つ含む、前記デバイドライバのセットアップが正常終了したことを示すメッセージを印刷させる指示である点にある。